(57)【要約】【課題】受信可能エリアの内部に移動受信機が存在している場合であっても、マルチパスなどの影響で受信状況が劣化、地上デジタル放送を視聴できない場合がある。【解決手段】本発明の移動受信機及びＴＳ合成システムは、受信機のチューナから取得するＴＳ（内部取得ＴＳ）だけでなく、他の受信機から取得するＴＳ（外部取得ＴＳ）をトランスポートデコーダによってデコードしているため、内部取得ＴＳのＴＳパケットにエラーが発生した場合でも、外部取得ＴＳをデコードすることによってＴＳをデコードできない状況を回避することができる。【選択図】図１
2006197167.tif 000002
【特許請求の範囲】
【請求項１】
デジタル放送が受信可能な複数のチューナと、インターフェース（以下Ｉ／Ｆと表記する）と、ＣＰＵと、トランスポートデコーダ（以下ＴＤと表記する）と、メモリと、ＡＶデコーダと、ディスプレイと、スピーカを備えたデジタル放送の移動受信機で、
前記ＴＤは、前記移動受信機本体に備わっている前記チューナから取得するＴＳ（以下内部取得ＴＳと表記する）と前記移動受信機以外の他の移動受信機から送信され取得したＴＳ（以下外部取得ＴＳと表記する）の２系統のＴＳを入力できる機能を備えており、それぞれのＴＳからＳＴＣ（ｓｙｓｔｅｍ  ｔｉｍｅ  ｃｌｏｃｋ）を作成してＳＴＣの差分を把握する機能を備え、そして前記差分を前記ＣＰＵに伝達する機能を備えており、また他の受信機へＴＳをそのまま出力する機能を備えていることを特徴とする移動受信機。
【請求項２】
請求項１に記載の移動受信機で、前記ＣＰＵは前記ＴＤより伝達されたＳＴＣの差分情報を取得し、前記メモリが２系統のＴＳの同期を図る最適な転送速度を算出する機能を備えており、前期メモリに前期転送速度で転送するよう指示をすることを特徴とする移動受信機。
【請求項３】
請求項１に記載の移動受信機で、前記メモリは外部取得ＴＳを蓄積し、前記ＣＰＵから指示された転送速度で前記ＴＤに転送することを特徴とする移動体受信機。
【請求項４】
請求項１に記載の移動受信機で、前記Ｉ／Ｆは、無線または有線で他の受信機と主にＴＳを通信でき、内部ＴＳを他の受信機に送信する機能を備えているだけでなく、外部ＴＳを受信する機能を備えていることを特徴とする移動体受信機。
【請求項５】
請求項１、２、３、４に記載の移動受信機と請求項１、２、３、４に記載の移動受信機と同様の構成を備えた複数の移動受信機が、無線または有線でＴＳの通信を行い、ＴＳを複数系統入力しながら移動受信することを特徴とするＴＳ合成システム。
【請求項６】
他のデジタル放送受信機が復調したトランスポートストリームを入力可能なインタフェイス手段を備えたデジタル放送受信機であって、
受信状況に基づいて自らが復調したトランスポートストリームと他のデジタル放送受信機が復調したトランスポートストリームを選択することを特徴とするデジタル放送受信機。
【請求項７】
デジタル放送を受信するチューナ手段と、受信した放送波を復調してトランスポートストリームを出力する復調手段と、他のデジタル放送受信機が復調したトランスポートストリームを入力可能なインタフェイス手段と、前記復調手段および前記インタフェイス手段から入力したトランスポートストリーム中のエラーをチェックするとともに、エラーの無いトランスポートストリームを選択する選択手段と、前記選択手段が選択したトランスポートストリームをデコードし、映像、音声信号を出力するデコーダ手段を備えたデジタル放送受信機。
【請求項８】
さらに、前記インタフェイス手段から入力したトランスポートストリームを蓄積するメモリ手段を備えた請求項７に記載のデジタル放送受信機であって、
前記メモリ手段は、前記復調手段が出力するトランスポートストリームと同期するタイミングで前記インタフェイス手段から入力したトランスポートストリームを前期選択手段に出力することを特徴とするデジタル放送受信機。
【発明の詳細な説明】
【技術分野】
【０００１】
本発明は、地上デジタル放送の移動受信機、特に、車載テレビ受信機、携帯テレビ受信機、携帯情報端末等における地上デジタル放送用移動受信システムに関する。
【背景技術】
【０００２】
地上デジタル放送における移動受信、特に車載テレビ受信機では地上デジタル放送を受信できなくなる場面の発生が予想される。移動受信機では固定受信機とは異なり受信機自体が移動していることにより、受信状況が厳しくなる。
【０００３】
車載テレビ受信機ではＩＳＤＢ−ＴにおいてＯＦＤＭ信号の１２セグメントを受信するサービスが今後進むと思われるが、固定受信用の変調方式である６４ＱＡＭを移動しながら受信すると視聴できない場面が多々発生することが考えられる。
【０００４】
そこでチューナを複数備えることにより受信性能を上げる取り組みが考えられているが、得られるＴＳは１系統であり単一のＴＳに依存している（例えば、特許文献１を参照）。
【０００５】
単一のＴＳに依存しているということは、移動中に受信状況が悪くなってＴＳパケットのうちエラーが発生するとＴＳをデコードすることができない。つまり映像もしくは音声が途切れることを意味する。
【特許文献１】特開２００３−１５２５７９号公報
【発明の開示】
【発明が解決しようとする課題】
【０００６】
このように地上デジタル放送において車載テレビ受信機、携帯テレビ受信機、携帯情報端末等の移動受信機では移動中に受信状況が劣化し、地上デジタル放送を視聴できないことが考えられる。
【０００７】
このような視聴できない状況は、受信可能エリアの外部である場合は理論的に仕方がない。しかし、受信可能エリアの内部に移動受信機が存在している場合に、マルチパスなどの影響で受信状況が劣化して地上デジタル放送を視聴できないことが考えられる。
【０００８】
これは、移動受信機のチューナから取り出されるＴＳだけに依存していることに問題がある。
【０００９】
これを改善するために複数のチューナを備えた移動受信機の開発が想定されるが、この場合でも複数のチューナから取り出された出力信号を選択または合成し、ＯＦＤＭ復調を行って単一のＴＳだけに依存していることに変わりはない。
【課題を解決するための手段】
【００１０】
本発明のデジタル放送受信機びＴＳ合成システムは、受信機のチューナから取得するＴＳ（以下内部取得ＴＳと表記する）だけでなく、他の受信機から取得するＴＳ（以下外部取得ＴＳと表記する）をＴＤによってデコードしているため、内部取得ＴＳのＴＳパケットにエラーが発生した場合でも、外部取得ＴＳをデコードすることによってＴＳをデコードできない状況を回避することができる。
【００１１】
前記ＴＤは内部取得ＴＳと外部取得ＴＳの２系統のＴＳを入力しデコードするだけでなく、他の受信機に内部取得ＴＳをそのまま出力する機能を備えている。このことによって、他の受信機も本発明の移動受信機と同様の構成を備えることで、２系統のＴＳをデコードし内部取得ＴＳのＴＳパケットにエラーが発生した場合でも、外部取得ＴＳをデコードすることによって受信できない状況を回避することができる。
【発明の効果】
【００１２】
本発明のデジタル放送受信機は、移動受信機同士がＴＳを補完し合いながら受信するシステムのため、内部取得ＴＳのＴＳパケットに受信状況の劣化に伴う異常が発生した場合に、外部取得ＴＳのＴＳパケットが正常な場合は受信が可能となる。
【００１３】
また、本発明は主に車載テレビ受信機と携帯テレビ受信機でのＴＳ合成システムを想定しており、携帯テレビ受信機が車内での別のアンテナの機能を果たすことになる。車載テレビ受信機のアンテナは簡単に移動することができないが、無線でＴＳを通信している携帯テレビ受信機は自由に移動できるため、車載テレビ受信機の受信状況が悪くなった場合は、車内で受信状況の良い場所に移動させることでよりＴＳを補完する効果が高まることになる。
【発明を実施するための最良の形態】
【００１４】
（実施の形態１）
図１は、実施の形態１のデジタル放送受信機の構成を示すブロック図である。
【００１５】
本実施の形態１では、本発明に係るＴＳ合成システムを地上デジタル放送受信機に適用した場合を一例として説明する。
【００１６】
本システムでは移動受信機の中でも車載テレビ受信機と携帯テレビ受信機とのやり取りを想定している。
【００１７】
図１において地上デジタル放送受信機１００は、チューナ１０１、ＯＦＤＭ復調器１０２、トランスポートデコーダ（ＴＤ）１０３、ＡＶデコーダ１０４、インターフェース１０５、メモリ１０６、ＣＰＵ１０７、スピーカ１０８、ディスプレイ１０９を備えて構成されている。
【００１８】
地上デジタル放送受信機１００は、同様の構成を備えている他の受信機１１０からＩ／Ｆ１０５を介してそれぞれのＴＳを通信できる構成になっている。Ｉ／Ｆ１０５は他の受信機１１０から送信される外部取得ＴＳを受信するだけでなく、内部取得ＴＳをＴＤ１０３を経由して他の受信機１１０に送信する機能も備えているものとする。なお、Ｉ／Ｆ１０５および他の受信機１１０間は有線、無線いずれによる送受信であってもよい。
【００１９】
以下、上述のデジタル放送受信機におけるＴＳ合成システムの動作を説明する。
【００２０】
地上デジタル放送受信機１００は内部取得ＴＳをＴＤ１０３で基本的にデコードする。
【００２１】
しかし、受信状況が劣化した場合などはＴＳパケットが正確に伝送されずにデコードできないことがあるために、外部取得ＴＳも常に取得している。もしも内部取得ＴＳの中のあるＴＳパケットに異常がありデコードできない場合は、外部取得ＴＳをデコードすることによって受信できない状況を回避することができる。
【００２２】
図１におけるＴＤ１０３は常に上述のようにＴＳを２系統入力し、それぞれのＴＳをデコードしている。また、内部取得ＴＳをデコードせずにＩ／Ｆ１０５に出力し、他の受信機のためのＴＳを送出する機能も備えている。
【００２３】
２系統のＴＳをデコードしたストリームは基本的に内部取得ＴＳをデコードした方をＡＶデコーダ１０４に出力する。もし内部取得ＴＳのＴＳパケットのうちでＴＳヘッダ内のＴＥＩ（ｔｒａｎｓｐｏｒｔ  ｅｒｒｏｒ  ｉｎｄｉｃａｔｏｒ）が「１」であるようなエラーの存在するＴＳパケットを含んでいる場合は、外部取得ＴＳをデコードしたストリームをＡＶデコーダ１０４に出力する。そして、内部取得ＴＳのＴＳパケットが正常になった場合は、また内部取得ＴＳをデコードしたストリームをＡＶデコーダ１０４に出力する。
【００２４】
ここで、外部取得ＴＳのデコードに切り換えても乱れのないＴＶ映像を継続して視聴するためには、２系統のＴＳを比較した際にＴＳパケット同士で同期が取れている状態でなくてはならない。
【００２５】
以下ではＴＳの同期をとるための仕組みを図２用いて説明する。
【００２６】
図２はＴＤ１０３への到達したＴＳを時間軸で記述している。
【００２７】
受信機１００のＳＴＣ（ｓｙｓｔｅｍ  ｔｉｍｅ  ｃｌｏｃｋ）は内部取得ＴＳのＴＳパケットからＰＣＲ（ｐｒｏｇｒａｍ  ｃｌｏｃｋ  ｒｅｆｅｒｅｎｃｅ）を用いて作成されるが、外部取得ＴＳと内部取得ＴＳとのＴＳパケットのずれを把握するために外部取得ＴＳのＰＣＲから作成されるＳＴＣとの差分をＣＰＵ１０７は認識する。
【００２８】
メモリ１０６は外部取得ＴＳを蓄積し、ＣＰＵ１０７から指示された転送速度に従ってＴＳパケットをＴＤ１０３に転送する。
【００２９】
ＣＰＵ１０７は内部取得ＴＳと外部取得ＴＳとのＳＴＣの差分を認識したら、メモリ１０６に外部取得ＴＳが内部取得ＴＳと同期を取るような転送速度を算出する。そして、前記転送速度でＴＤ１０３に渡すようメモリ１０６に指示をする。
【００３０】
上述のようなＴＳパケットの同期をとる仕組みを設けることで、ＴＤにおいてＴＳを２系統入力しても、あたかもＴＳが１系統の入力しかない場合と同様に問題なくデコードすることが可能となる。
【産業上の利用可能性】
【００３１】
本発明にかかるデジタル放送受信機は、地上デジタル放送の移動受信機、特に、車載テレビ受信機、携帯テレビ受信機、携帯情報端末等における受信状況悪化時の画面安定化に関するものとして有用である。
【図面の簡単な説明】
【００３２】
【図１】実施の形態１におけるデジタル放送受信機の構成を示すブロック図
【図２】実施の形態１におけるＴＳ合成システムの模式図
【符号の説明】
【００３３】
１００    デジタル放送受信機
１０１    チューナ
１０２    ＯＦＤＭ復調器
１０３    トランスポートデコーダ（ＴＤ）
１０４    ＡＶデコーダ
１０５    インターフェース（Ｉ／Ｆ）
１０６    メモリ
１０７    ＣＰＵ
１０８    スピーカ
１０９    ディスプレイ
１１０    他のデジタル放送受信機
２００    内部取得ＴＳ
２０１    外部取得ＴＳ
２０２    ＳＴＣの差分
【図１】
2006197167.tif 000003
【図２】
2006197167.tif 000004